(57)【要約】【課題】クロスの見た目の良さを保ちつつ、低コスト生産可能な、袖部からクロス本体内への通気性を自在に高め得るクロスを提供する。【解決手段】クロス１０の身体正面部１の右側最上部１ＲＴと縫合されて門止めされた右手前方側後身頃部２ＢＦは、右手背面側後身頃部２の本来的部分である右手後方側後身頃部２Ｂと右肩部２ＲＳを介して縫い目無く一体化されている。そして、右手後方側後身頃部２Ｂの裏面２ＢＳＢと右手前方側後身頃部２ＢＦの裏面２ＢＦＳＢとには、自在に結合又は分離可能な、スナップボタンから成る一対の結合・分離部５が設けられている。結合・分離部５が結合分離状態とされる場合には、右手前方側後身頃部２ＢＦの最下部の第２部分Ｐ２は、右手後方側後身頃部２Ｂの裏面２ＢＳＢに沿って空気が袖空間内に入り込む際の通気口を成す。左袖側のクロス１０の構成も同様である。【選択図】図１
2014226402.tif 000002
【特許請求の範囲】
【請求項１】
１）身体の胸部の前方側領域及び腰部の前方側領域を共に被覆する前方中央部と、２）前記前方中央部との縫い目無くして前記前方中央部と一体化されていると共に右手前方下方領域の内で前記身体寄りの一部分である第１領域を被覆する右手前方下方側袖部と、３）前記前方中央部との縫い目無くして前記前方中央部と一体化されていると共に左手前方下方領域の内で前記身体寄りの一部分である第３領域を被覆する左手前方下方側袖部とを備える、一枚の前身頃を成す身体正面部と、
１）前記身体正面部の前記前方中央部の右側最上部及び前記前方中央部の前記右側最上部と連続的に一体となっている前記右手前方下方側袖部の最上部と縫合されて縫い目の終わり部が門止めされている最下部の第１部分を有し、２）前記最下部の前記第１部分と繋がって右手延在方向に終端を有する前記最下部の第２部分の下方領域の全体には前記前身頃の前記右手前方下方側袖部が存在していないと共に、３）右手肩側部から右手指先部までの右肩線部から、前記身体の右手前方側領域を介して、前記右手前方下方領域の内で前記第１領域の右隣側の第２領域内にまで前記前身頃側にはみ出して成る右手前方側後身頃部と、１）前記右肩線部を介して縫い目無くして前記右手前方側後身頃部と一体化されていると共に、２）右手後方側領域の右手背後の右手後方上方側袖部及び前記右手後方上方側袖部と縫い目無くして一体となっている右手後方下方側袖部の全域を構成する右手後方側後身頃部と、１）前記右手後方側後身頃部と縫い目無くして一体となっていると共に、２）前記身体の背中の前方左側領域の全体を被覆する背中前方左側後身頃部とを備える、一枚の右手背面側後身頃部と、
１）前記身体正面部の前記前方中央部の左側最上部及び前記前方中央部の前記左側最上部と連続的に一体となっている前記左手前方下方側袖部の最上部と縫合されて縫い目の終わり部が門止めされている最下部の第３部分を有し、２）前記最下部の前記第３部分と繋がって左手延在方向に終端を有する前記最下部の第４部分の下方領域の全体には前記前身頃の前記左手前方下方側袖部が存在していないと共に、３）左手肩側部から左手指先部までの左肩線部から、前記身体の左手前方側領域を介して、前記左手前方下方領域の内で前記第３領域の左隣側の第４領域内にまで前記前身頃側にはみ出して成る左手前方側後身頃部と、１）前記左肩線部を介して縫い目無くして前記左手前方側後身頃部と一体化されていると共に、２）左手後方側領域の左手背後の左手後方上方側袖部及び前記左手後方上方側袖部と縫い目無くして一体となっている左手後方下方側袖部の全域を構成する左手後方側後身頃部と、１）前記左手後方側後身頃部と縫い目無くして一体となっていると共に、２）前記身体の背中の前方右側領域の全体を被覆する背中前方右側後身頃部とを備える、一枚の左手背面側後身頃部と、
前記右手背面側後身頃部の前記右手後方側後身頃部の裏面の一部と、前記右手背面側後身頃部の前記右手前方側後身頃部の裏面の一部とを自在に結合可能として右手を通すための右手側袖空間を形成すると共に、自在に前記結合状態を分離可能として前記右手側袖空間を開放するために、前記右手後方側後身頃部の前記裏面上及び前記右手前方側後身頃部の前記裏面上に配設されている一対の第１結合・分離部と、
前記左手背面側後身頃部の前記左手後方側後身頃部の裏面の一部と、前記左手背面側後身頃部の前記左手前方側後身頃部の裏面の一部とを自在に結合可能として左手を通すための左手側袖空間を形成すると共に、自在に前記結合状態を分離可能として前記左手側袖空間を開放するために、前記左手後方側後身頃部の前記裏面上及び前記左手前方側後身頃部の前記裏面上に配設されている一対の第２結合・分離部と
を備えており、
前記一対の第１結合・分離部の結合状態により前記右手側袖空間が形成されている状態に於いては、正面視に於いて、前記右手背面側後身頃部の前記右手後方側後身頃部の裏面の内で、前記右手前方側後身頃部の前記最下部の前記第２部分よりも下方の裏面部分は露出していると共に、
前記一対の第２結合・分離部の結合状態により前記左手側袖空間が形成されている状態に於いては、正面視に於いて、前記左手背面側後身頃部の前記左手後方側後身頃部の裏面の内で、前記左手前方側後身頃部の前記最下部の前記第４部分よりも下方の裏面部分は露出している
ことを特徴とする、美容・理容用クロス。
【発明の詳細な説明】
【技術分野】
【０００１】
この発明は、美容室或いは理容室、又は、美容院或いは理容院において使用される、美容・理容用クロス（以下「クロス」という。）の構成に関する。
【背景技術】
【０００２】
従来のクロス（「ケープ」又は「カットクロス」とも言われる。）に於いては、左右各々の１枚の袖部の形と、１枚の前身頃部の形と、２枚の後身頃部の形とが、それぞれ、縫い合わされて、一枚のクロスが形成されている。
【０００３】
又、従来のクロスに於いては、衿元部の形は、各袖部、前身頃部及び各後身頃部の各首回り部に、タック入れ仕立てにより、縫合されている。
【０００４】
尚、本願の発明者は、上記の従来のクロスの構成に関して記載した特許文献の存在を知らない。
【先行技術文献】
【特許文献】
【０００５】
【特許文献１】実用新案登録第３１５８５４３号公報
【発明の概要】
【発明が解決しようとする課題】
【０００６】
従来のクロスに於いては、左右の各腕を通す袖部が設けられている。これにより、髪の毛のカット施術中に、着衣者は、各袖部から各掌をはみ出させて両手で雑誌等の書籍を持ちながら当該書籍を読むことが出来る。
【０００７】
しかしながら、各袖部が密閉に近い空間を成しているので、各袖部内及びクロス全体内の空間の通気性が悖ることとなり、クロスの着衣者は、髪の毛のカット施術中に蒸し暑さを感じることが有り得る。
【０００８】
その様なクロスの通気性を改善する策として、例えば特許文献１に記載の考案が提案されている。当該特許文献１の考案に於いては、クロスの各袖部の底部にメッシュより成る通気性素材を設けることが提案されている。
【０００９】
しかしながら、本考案の様に、クロスの一部とは言え、クロス本体とは異質の素材部分を設けることは製造の観点から見てクロスの製作コストを上げることにもなり、クロス製作の方法も比較的に簡単とは言えなくなる。
【００１０】
加えて、本考案では、常に、クロスの袖部の底部から空気がクロス内に入り込んでくるので、必ずしも、着衣者が、クロス内部の身体が蒸し暑いと感じないために通気性を高める必要性が無い場合にまで、不必要な通気性向上を図ることになる。
【００１１】
本発明は、上記の問題点を踏まえて成されたものであり、特別な素材を用いる必要なく基本的に従来のクロスの構成の良い点を踏襲しつつ、必要時に応じて臨機応変にクロス袖部内の空間の通気性の向上を図り得る構成を備えたクロスを実現することを、その主目的としている。
【課題を解決するための手段】
【００１２】
この発明の主題に係る美容・理容用クロスは、１）身体の胸部の前方側領域及び腰部の前方側領域を共に被覆する前方中央部と、２）前記前方中央部との縫い目無くして前記前方中央部と一体化されていると共に右手前方下方領域の内で前記身体寄りの一部分である第１領域を被覆する右手前方下方側袖部と、３）前記前方中央部との縫い目無くして前記前方中央部と一体化されていると共に左手前方下方領域の内で前記身体寄りの一部分である第３領域を被覆する左手前方下方側袖部とを備える、一枚の前身頃を成す身体正面部と、  １）前記身体正面部の前記前方中央部の右側最上部及び前記前方中央部の前記右側最上部と連続的に一体となっている前記右手前方下方側袖部の最上部と縫合されて縫い目の終わり部が門止めされている最下部の第１部分を有し、２）前記最下部の前記第１部分と繋がって右手延在方向に終端を有する前記最下部の第２部分の下方領域の全体には前記前身頃の前記右手前方下方側袖部が存在していないと共に、３）右手肩側部から右手指先部までの右肩線部から、前記身体の右手前方側領域を介して、前記右手前方下方領域の内で前記第１領域の右隣側の第２領域内にまで前記前身頃側にはみ出して成る右手前方側後身頃部と、１）前記右肩線部を介して縫い目無くして前記右手前方側後身頃部と一体化されていると共に、２）右手後方側領域の右手背後の右手後方上方側袖部及び前記右手後方上方側袖部と縫い目無くして一体となっている右手後方下方側袖部の全域を構成する右手後方側後身頃部と、１）前記右手後方側後身頃部と縫い目無くして一体となっていると共に、２）前記身体の背中の前方左側領域の全体を被覆する背中前方左側後身頃部とを備える、一枚の右手背面側後身頃部と、１）前記身体正面部の前記前方中央部の左側最上部及び前記前方中央部の前記左側最上部と連続的に一体となっている前記左手前方下方側袖部の最上部と縫合されて縫い目の終わり部が門止めされている最下部の第３部分を有し、２）前記最下部の前記第３部分と繋がって左手延在方向に終端を有する前記最下部の第４部分の下方領域の全体には前記前身頃の前記左手前方下方側袖部が存在していないと共に、３）左手肩側部から左手指先部までの左肩線部から、前記身体の左手前方側領域を介して、前記左手前方下方領域の内で前記第３領域の左隣側の第４領域内にまで前記前身頃側にはみ出して成る左手前方側後身頃部と、１）前記左肩線部を介して縫い目無くして前記左手前方側後身頃部と一体化されていると共に、２）左手後方側領域の左手背後の左手後方上方側袖部及び前記左手後方上方側袖部と縫い目無くして一体となっている左手後方下方側袖部の全域を構成する左手後方側後身頃部と、１）前記左手後方側後身頃部と縫い目無くして一体となっていると共に、２）前記身体の背中の前方右側領域の全体を被覆する背中前方右側後身頃部とを備える、一枚の左手背面側後身頃部と、前記右手背面側後身頃部の前記右手後方側後身頃部の裏面の一部と、前記右手背面側後身頃部の前記右手前方側後身頃部の裏面の一部とを自在に結合可能として右手を通すための右手側袖空間を形成すると共に、自在に前記結合状態を分離可能として前記右手側袖空間を開放するために、前記右手後方側後身���部の前記裏面上及び前記右手前方側後身頃部の前記裏面上に配設されている一対の第１結合・分離部と、前記左手背面側後身頃部の前記左手後方側後身頃部の裏面の一部と、前記左手背面側後身頃部の前記左手前方側後身頃部の裏面の一部とを自在に結合可能として左手を通すための左手側袖空間を形成すると共に、自在に前記結合状態を分離可能として前記左手側袖空間を開放するために、前記左手後方側後身頃部の前記裏面上及び前記左手前方側後身頃部の前記裏面上に配設されている一対の第２結合・分離部とを備えており、前記一対の第１結合・分離部の結合状態により前記右手側袖空間が形成されている状態に於いては、正面視に於いて、前記右手背面側後身頃部の前記右手後方側後身頃部の裏面の内で、前記右手前方側後身頃部の前記最下部の前記第２部分よりも下方の裏面部分は露出していると共に、前記一対の第２結合・分離部の結合状態により前記左手側袖空間が形成されている状態に於いては、正面視に於いて、前記左手背面側後身頃部の前記左手後方側後身頃部の裏面の内で、前記左手前方側後身頃部の前記最下部の前記第４部分よりも下方の裏面部分は露出していることを特徴とする。
【発明の効果】
【００１３】
本発明の主題によれば、着衣者がクロス内の空間で覆われた身体が蒸し暑いと感じる場合に、施術者が、クロスの左右の後身頃部の各々に設けられた結合部を互いに離脱状態に切り離す作業を行うだけで、クロスの各袖部の空間が完全に開放状態となるので、クロスの通気性を高めることが出来る。しかも、袖部の開放状態においても、各後身頃の袖部分が着衣者の各腕全体を覆った状態を保ちつつ下方へ垂れ落ちた状態を保っているので、カットされた髪の毛が着実にクロスの後身頃部で受け止められて着衣者の腕には付着しないので、クロス本体の機能を維持し続けることが出来る。又、結合部の結合時及び離脱時の何れの場合に於いても、正面からクロスを眺めた際の構成は見た目には変わらないので、クロスの構成の見た目の良さをもそのまま維持することが出来る。加えて、通気性を高めるために、特別な素材又は機構を備える訳ではないので、通気性に富んだ機能を奏するクロスを低コストで製作することも可能となる。
【００１４】
以下、本発明の様々な具体化を、添付図面を基に、その効果・利点と共に、詳述する。
【図面の簡単な説明】
【００１５】
【図１】本発明の実施の形態１に係るクロスの前方側から眺めた正面図である。
【図２】本発明の実施の形態１に係るクロスの後方側から眺めた背面図である。
【発明を実施するための形態】
【００１６】
（実施の形態１）
【００１７】
＜特徴点＞
本実施の形態に係るクロスの中核は、後身頃部の袖部がその肩部から前身頃側にまで大きく張り出して前身頃側の袖部を成しており且つその前身頃側の袖部が前身頃部の胸部と縫合されていると共に、後身頃部の袖部と当該後身頃部の前身頃側の袖部とに自在に結合・離脱が可能な結合部が固設されている点にある。当該結合部同士が結合されている場合には、後身頃部の袖部と当該後身頃部の前身頃側の袖部とは、人の身体の腕をその中に通し得る袖空間を成している。逆に、当該結合部同士が離脱状態にある場合には、後身頃部の前身頃側の袖部は正面下方にそのまま垂れた状態にあって、人の身体の腕に当該後身頃部の前身頃側の袖部が架かった状態となっている。そして、袖部の下方から袖部全体に亘って、外気が入る状態となっている。
【００１８】
＜クロスの構成＞
図１は、本実施の形態に係るクロス１０の正面側構成を示す正面図であり、図２は、クロス１０の背面側構成を示す背面図である。図１中、一点鎖線は、人の身体の一部である両腕、胸周辺部、及び腰周辺部の外形を模式的に示しており、破線９，１０は糸の縫い目を模式的に示している。
【００１９】
クロス１０は、大要、Ａ）一枚の前身頃を成す身体正面部１と、Ｂ）一枚の右手背面側後身頃部２と、Ｃ）一枚の左手背面側後身頃部３と、Ｄ）襟元部４とから成る。これらの部分の内で、身体正面部１と右手背面側後身頃部２とは、縫い目９によって縫合されており、身体正面部１と左手背面側後身頃部３とは、縫い目１０によって縫合されている。これらの糸の縫合により、各部１，２，３はクロス１０の主要部として一体化されている。そして、一枚の右手背面側後身頃部２は、一対の第１結合・分離部５，７を有し、他方、一枚の左手背面側後身頃部３は、一対の第２結合・分離部６，８を有する。本例では、一対の第１結合・分離部５，７及び一対の第２結合・分離部６，８は、何れもスナップボタンより構成されているが、当該構成はあくまでも一例であって、同一の機能を呈する限り、その他の部材で構成されていても良い。例えば、一対の第１結合・分離部５，７及び一対の第２結合・分離部６，８は、面ファスナーで構成されていても良い。以下、各部１〜４の構成を順次に詳述する。
【００２０】
縫い目無くして一枚の前身頃を成す身体正面部１は、１）クロスを着用した人の身体の胸部の前方側領域を被覆する胸部分１Ａ及び腰部の前方側領域を被覆する腰部分１Ｂより成る前方中央部１ＦＣと、２）人の身体の内で上記腰部より下方の足部の前方領域を被覆する足元部分１Ｃとを備える。更に、身体正面部１は、３）クロス１０の右手側の袖部分の内で前方下方部分に当たる右手前方下方側袖部１Ｄと、４）クロス１０の左手側の袖部分の内で前方下方部分に当たる左手前方下方側袖部１Ｅとを、備える。
【００２１】
特に、右手前方下方側袖部１Ｄは、身体正面部１の前方中央部１ＦＣとの縫い目無くして前方中央部１ＦＣと一体化されていると共に、右手前方下方領域の内で身体寄りの一部分である第１領域Ｒ１を被覆する。
【００２２】
同様に、左手前方下方側袖部１Ｅは、前方中央部１ＦＣとの縫い目無くして前方中央部１ＦＣと一体化されていると共に、左手前方下方領域の内で身体寄りの一部分である第３領域Ｒ３を被覆する。
【００２３】
これに対して、本クロス１０の構成の要部を成す、一枚の右手背面側後身頃部２及び一枚の左手背面側後身頃部３の詳細な構成は、以下の通りである。
【００２４】
先ず、一枚の右手背面側後身頃部２は、人の身体の右肩部及び右腕部を背中側から乗り越えて右手前方側の袖領域へと広がって下方へ垂れ下がっている右手前方側後身頃部２ＢＦを有する。この右手前方側後身頃部２ＢＦの最下部は、第１部分Ｐ１と、第２部分Ｐ２とを有する。即ち、右手前方側後身頃部２ＢＦの最下部の第１部分Ｐ１は、身体正面部１の前方中央部１ＦＣの右側最上部１ＲＴ、及び、当該右側最上部１ＲＴと連続的に一体となっている右手前方下方側袖部１Ｄの最上部１ＤＴと縫合されて、既述の糸の縫い目９によって前方中央部１ＦＣの右側最上部１ＲＴと一体化されている。そして、糸の縫い目９の縫合部の終わり部９Ｅが門止め処理されている。又、右手前方側後身頃部２ＢＦの上記最下部の第２部分Ｐ２は、上記最下部の第１部分Ｐ１と繋がって、右手延在方向に終端を有する。そして、右手前方側後身頃部２ＢＦの上記最下部の第２部分Ｐ２の下方領域の全体には、前身頃の右手前方下方側袖部１Ｄは存在していない。
【００２５】
この様に、右手前方側後身頃部２ＢＦは、右手背面側後身頃部２の、右手肩側部から右手指先部までの右肩線部２ＲＳから、着衣者の身体の右手前方側領域を介して、右手前方下方領域の内で第１領域Ｒ１の右隣側の第２領域Ｒ２内にまで、前身頃側にはみ出して成る。
【００２６】
更に、一枚の右手背面側後身頃部２は、右手後方側後身頃部２Ｂを有する。この右手後方側後身頃部２Ｂは、１）右肩線部２ＲＳを介して縫い目無くして右手前方側後身頃部２ＢＦと一体化されていると共に、２）右手後方側領域２ＢＲの右手背後の右手後方上方側袖部２ＢＲＵＳ及び右手後方上方側袖部２ＢＲＵＳと縫い目無くして一体となっている右手後方下方側袖部２ＢＲＬＳの全域を構成する。そのため、右手後方側後身頃部２Ｂは、右手後方側領域２ＢＲで覆われる空間の全域を被覆している。
【００２７】
更に、一枚の右手背面側後身頃部２は、背中前方左側後身頃部２Ａを備える。この背中前方左側後身頃部２Ａは、１）右手後方側後身頃部２Ｂと縫い目無くして一体となっていると共に、２）着衣者の身体の背中の前方左側領域の全体を被覆する。そして、背中前方左側後身頃部２Ａは、着衣者が本クロス１０を着衣する際に同部２Ａと後述の背中前方右側後身頃部３Ａとを互いに結合させるための面ファスナー１２を、その裏面部に、有する。
【００２８】
又、クロス１０は、一対の第１結合・分離部５，７を有する。本実施の形態に於いては、一例として、一対の第１結合・分離部５，７の各々は、互いに対向配設された、２個のスナップボタンより成る。そして、一対の第１結合・分離部５，７の各々は、右手後方側後身頃部２Ｂの裏面２ＢＳＢ上及び右手前方側後身頃部２ＢＦの裏面２ＢＦＳＢ上に配設されている。この一対の第１結合・分離部５，７は、機能の面では、右手背面側後身頃部２の右手後方側後身頃部２Ｂの裏面２ＢＳＢの一部と、右手背面側後身頃部２の右手前方側後身頃部２ＢＦの裏面２ＢＦＳＢの一部とを互いに自在に結合可能として、右手を通すための右手側袖空間を形成すると共に、自在に結合状態を分離可能として右手側袖空間を開放する。
【００２９】
以上のクロス１０の右手側袖部の構成より、一対の第１結合・分離部５，７が結合状態にあって、右手側袖空間が形成されている状態に於いては、クロス１０の正面視に於いて、右手背面側後身頃部２の右手後方側後身頃部２Ｂの裏面２ＢＳＢの内で、右手前方側後身頃部２ＢＦの最下部の第２部分Ｐ２よりも下方の裏面部分は、露出している。逆に、一対の第１結合・分離部５，７が非結合状態ないしは分離状態にある場合においても、クロス１０の正面視に於いて、右手前方側後身頃部２ＢＦはそのまま垂れ下がった状態にあり、着衣者の右腕は略全体的に右手前方側後身頃部２ＢＦによって被覆されており、同じく右手前方側後身頃部２ＢＦの最下部の第２部分Ｐ２よりも下方の裏面２ＳＢＳＢの部分は、露出した状態にある。
【００３０】
他方、一枚の左手背面側後身頃部３は、人の身体の左肩部及び左腕部を背中側から乗り越えて左手前方側の袖領域へと広がって下方へ垂れ下がっている左手前方側後身頃部３ＢＦを有する。この左手前方側後身頃部３ＢＦの最下部は、第３部分Ｐ３と、第４部分Ｐ４とを有する。即ち、左手前方側後身頃部３ＢＦの最下部の第３部分Ｐ３は、身体正面部１の前方中央部１ＦＣの左側最上部１ＬＴ、及び、当該左側最上部１ＬＴと連続的に一体となっている左手前方下方側袖部１Ｅの最上部１ＥＴと縫合されて、既述の糸の縫い目１０によって前方中央部１ＦＣの左側最上部１ＬＴと一体化されている。そして、糸の縫い目１０の縫合部の終わり部１０Ｅが門止め処理されている。又、左手前方側後身頃部３ＢＦの上記最下部の第４部分Ｐ４は、上記最下部の第３部分Ｐ３と繋がって、左手延在方向に終端を有する。そして、左手前方側後身頃部３ＢＦの上記最下部の第４部分Ｐ４の下方領域の全体には、前身頃の左手前方下方側袖部１Ｅは存在していない。
【００３１】
この様に、左手前方側後身頃部３ＢＦは、左手背面側後身頃部３の、左手肩側部から左手指先部までの左肩線部３ＬＳから、着衣者の身体の左手前方側領域を介して、左手前方下方領域の内で第３領域Ｒ３の左隣側の第４領域Ｒ４内にまで、前身頃側にはみ出して成る。
【００３２】
更に、一枚の左手背面側後身頃部３は、左手後方側後身頃部３Ｂを有する。この左手後方側後身頃部３Ｂは、１）左肩線部３ＬＳを介して縫い目無くして左手前方側後身頃部３ＢＦと一体化されていると共に、２）左手後方側領域３ＢＬの左手背後の左手後方上方側袖部３ＢＬＵＳ及び左手後方上方側袖部３ＢＬＵＳと縫い目無くして一体となっている左手後方下方側袖部３ＢＬＬＳの全域を構成する。そのため、左手後方側後身頃部３Ｂは、左手後方側領域３ＢＬで覆われる空間の全域を被覆している。
【００３３】
更に、一枚の左手背面側後身頃部３は、背中前方右側後身頃部３Ａを備える。この背中前方右側後身頃部３Ａは、１）左手後方側後身頃部３Ｂと縫い目無くして一体となっていると共に、２）着衣者の身体の背中の前方右側領域の全体を被覆する。そして、背中前方右側後身頃部３Ａは、着衣者が本クロス１０を着衣する際に同部３Ａと背中前方左側後身頃部２Ａとを互いに結合させるための面ファスナー１１を、その表面部に、有する。
【００３４】
又、クロス１０は、一対の第２結合・分離部６，８を有する。本実施の形態に於いては、一例として、一対の第２結合・分離部６，８の各々もまた、互いに対向配設された、２個のスナップボタンより成る。そして、一対の第２結合・分離部６，８の各々は、左手後方側後身頃部３Ｂの裏面３ＢＳＢ上及び左手前方側後身頃部３ＢＦの裏面３ＢＦＳＢ上に配設されている。この一対の第２結合・分離部６，８もまた、機能面では、左手背面側後身頃部３の左手後方側後身頃部３Ｂの裏面３ＢＳＢの一部と、左手背面側後身頃部３の左手前方側後身頃部３ＢＦの裏面３ＢＦＳＢの一部とを互いに自在に結合可能として、左手を通すための左手側袖空間を形成すると共に、自在に結合状態を分離可能として左手側袖空間を開放する。
【００３５】
以上のクロス１０の左手側袖部の構成より、一対の第２結合・分離部６，８が結合状態にあって、左手側袖空間が形成されている状態に於いては、クロス１０の正面視に於いて、左手背面側後身頃部３の左手後方側後身頃部３Ｂの裏面３ＢＳＢの内で、左手前方側後身頃部３ＢＦの最下部の第４部分Ｐ４よりも下方の裏面部分は、露出している。逆に、一対の第２結合・分離部６，８が非結合状態ないしは分離状態にある場合においても、クロス１０の正面視に於いて、左手前方側後身頃部３ＢＦはそのまま垂れ下がった状態にあり、着衣者の左腕は略全体的に左手前方側後身頃部３ＢＦによって被覆されており、同じく左手前方側後身頃部３ＢＦの最下部の第４部分Ｐ４よりも下方の裏面３ＢＳＢの部分は、露出した状態にある。
【００３６】
襟元部４は、一対の面ファスナーを有すると共に、身体正面部１、右手背面側後身頃部２及び左手背面側後身頃部３の各々の首回り部分と縫合されている。その際の襟元部４の縫合の加工処理は、ワイシャツ加工法で行っても良いし、或いは、タック入れ仕立て法で行っても良い。
【００３７】
＜クロスの通気性向上機能＞
施術者がクロス１０の着衣者に対して髪の毛のカット作業を行う場合には、通常、一対の第１結合・分離部５，７及び一対の第２結合・分離部６，８は、共に結合状態にあるので、左右の袖空間は何れも部分的に閉された空間を成している。
【００３８】
着衣者がクロス１０内に覆われた身体が蒸し暑く感じる場合には、その旨を聞いた施術者は、各結合・分離部５，７、６，８を共に分離状態へと変える。即ち、施術者は、結合した、左右の各スナップボタンを外して分離する。
【００３９】
この作業により、右手背面側後身頃部２に関しては、右手後方側後身頃部２Ｂの裏面２ＢＳＢと、右手前方側後身頃部２ＢＦの裏面２ＢＦＳＢとは互いに分離状態となり、右手前方側後身頃部２ＢＦは、分離後も依然として着衣者の右腕を全体的に覆いつつ下方へ垂れ下がった状態を保ち、右手側の袖空間は開放状態となる。このため、右手前方側後身頃部２ＢＦの最下部の第２部分Ｐ２は、全体的に亘って、空気が、右手後方側後身頃部２Ｂの裏面２ＢＳＢの内の下方の露出部分に沿って、開放された袖空間に流れ込んで来る際の通気口として機能することになる。そのため、右側の袖空間を介したクロス１０内の通気性は格段に向上されて、着衣者の蒸し暑し感は低減される。しかも、右手前方側後身頃部２ＢＦは、着衣者の右腕全体を覆いつつ、下方へ垂れ下がった状態を維持しており、カットされて落ちてくる髪の毛の部分を着実に受け止め得るクロスとしての本来的機能をも維持している。しかも、後身頃部が一体的に右側の袖部を成しているので、クロス１０の見た目の良さを維持又は向上させている。加えて、通気性の向上化に際して特段の又は異質な素材乃至は部材が必要とならなく、形の縫合処理は、縫い目９の部分の処理だけとなり、クロス１０の製作コストは低減化される。
【００４０】
同様に、上記の分離作業により、左手背面側後身頃部３に関しては、左手後方側後身頃部３Ｂの裏面３ＢＳＢと、左手前方側後身頃部３ＢＦの裏面３ＢＦＳＢとは互いに分離状態となり、左手前方側後身頃部３ＢＦは分離後も依然として左腕を全体的に覆いつつ下方へ垂れさがった状態を保ち、左手側の袖空間は全体的に開放状態となる。このため、左手前方側後身頃部３ＢＦの最下部の第４部分Ｐ４は、全体的に亘って、空気が左手後方側後身頃部３Ｂの裏面３ＢＳＢの内の下方の露出部分に沿って開放された袖空間に流れ込んで来る「通気口」として機能することになる。そのため、左側の袖空間を介したクロス１０内の通気性は格段に向上され、着衣者の蒸し暑さ感は更に低減化される。しかも、左手前方側後身頃部３ＢＦは、着衣者の左腕全体を覆いつつ、下方へ垂れ下がった状態を維持しており、カットされて落ちてくる髪の毛の部分を着実に受け止め得る、クロスとしての本来的機能をも維持している。左側の後身頃部が一体的に左側の袖部を成しているので、クロス１０の見た目の良さは、維持又は向上されている。加えて、クロス１０の通気性の向上化に際して特段の又は異質な素材乃至は部材が必要とはならなく、形の縫合処理は、縫い目１０の部分の処理だけとなり、クロス１０の製作コストは低減化される。
【００４１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４２】
この発明は、外観上、見た目の良さが求められる、美容室用クロス又は理容室用クロスに適用して好適なるものである。
【符号の説明】
【００４３】
１０    クロス
１      身体正面部
２      右手背面側後身頃部
２Ｂ    右手後方側後身頃部
２ＢＦ  右手前方側後身頃部
３      左手背面側後身頃部
３Ｂ    左手後方側後身頃部
３ＢＦ  左手前方側後身頃部
５，７  第１結合・分離部（スナップボタン）
６，８  第２結合・分離部（スナップボタン）
【図１】
2014226402.tif 000003
【図２】
2014226402.tif 000004